(57)【要約】【課題】  セキュリティ強度を確保しつつ利便性の高い認証方法を提供すること。【解決手段】  顔画像を表示する画像表示手段と、前記画像表示手段で表示した前記顔画像から顔部位を検出するとともに、前記検出した顔部位の位置に基づいて認証タッチパターン入力用キー領域を設定し、前記設定した認証タッチパターン入力用キー領域に対して認証対象者が行ったタッチ操作を認証タッチパターンとして入力するタッチパターン入力手段と、前記タッチパターン入力手段で入力した前記認証タッチパターンに基づいて前記認証対象者を認証するか否かの判断を行う認証判断手段と、を備えることを特徴とする情報処理端末、を用いる。【選択図】  図６
2013190992.tif 000002
【特許請求の範囲】
【請求項１】
情報処理端末であって、
タッチパネル機能を有し、顔画像を表示する画像表示手段と、
前記画像表示手段で表示した前記顔画像の特定顔部位の位置へのタッチ順序を記憶する認証情報記憶手段と、
認証対象者が前記画像表示手段で表示した前記顔画像の特定顔部位の位置にタッチした順序が前記認証情報記憶手段に記憶されているタッチ順序と同じか否かにより前記認証対象者を認証するか否かの判断を行う認証判断手段と、
を備えることを特徴とする情報処理端末。
【請求項２】
情報処理端末であって、
顔画像を表示する画像表示手段と、
前記画像表示手段で表示した前記顔画像から顔部位を検出するとともに、前記検出した顔部位の位置に基づいて認証タッチパターン入力用キー領域を設定し、前記設定した認証タッチパターン入力用キー領域に対して認証対象者が行ったタッチ操作を認証タッチパターンとして入力するタッチパターン入力手段と、
前記タッチパターン入力手段で入力した前記認証タッチパターンに基づいて前記認証対象者を認証するか否かの判断を行う認証判断手段と、
を備えることを特徴とする情報処理端末。
【請求項３】
前記情報処理端末は、更に、顔画像を入力する画像入力手段を備え、
前記画像表示手段は、前記画像入力手段が入力した顔画像を表示することを特徴とする請求項１または請求項２記載の情報処理端末。
【請求項４】
情報処理端末であって、
画像入力手段と、画像表示手段と、タッチパターン入力手段と、認証情報記憶手段と、認証情報比較手段と、認証判断手段と、を備え、
前記画像入力手段は登録者の顔画像を入力し、
前記画像表示手段は前記画像入力手段が入力した前記登録者の顔画像を表示し、
前記タッチパターン入力手段は前記画像表示手段が表示した前記登録者の顔画像から顔部位を検出するとともに、前記検出した顔部位の位置に基づいて登録タッチパターン入力用キー領域を設定し、前記設定した登録タッチパターン入力用キー領域に対して前記登録者が行ったタッチ操作を登録タッチパターンとして入力し、
前記認証情報記憶手段は前記タッチパターン入力手段が入力した前記登録タッチパターンを記憶し、
前記画像入力手段は認証対象者の顔画像を入力し、
前記画像表示手段は前記画像入力手段が入力した前記認証対象者の顔画像を表示し、
前記タッチパターン入力手段は前記画像表示手段が表示した前記認証対象者の顔画像から顔部位を検出するとともに、前記検出した顔部位の位置に基づいて認証タッチパターン入力用キー領域を設定し、前記設定した認証タッチパターン入力用キー領域に対して前記認証対象者が行ったタッチ操作を認証タッチパターンとして入力し、
前記認証情報比較手段は前記タッチパターン入力手段が入力した前記認証タッチパターンと前記認証情報記憶手段に記憶されている前記登録タッチパターンを比較し、
前記認証判断手段は前記認証情報比較手段における前記認証タッチパターンと前記登録タッチパターンの比較結果に基づいて前記認証対象者を認証するか否かの判断を行うことを特徴とする情報処理端末。
【請求項５】
前記情報処理端末において、
前記認証情報記憶手段は前記画像入力手段が入力した前記登録者の顔画像を更に記憶し、
前記認証情報比較手段は前記画像入力手段が入力した前記認証対象者の顔画像と前記認証情報記憶手段に記憶されている前記登録者の顔画像を更に比較し、
前記認証判断手段は前記認証情報比較手段における前記認証対象者の顔画像と前記登録者の顔画像の比較結果及び前記認証タッチパターンと前記登録タッチパターンの比較結果に基づいて前記認証対象者を認証するか否かの判断を行うことを特徴とする請求項４記載の情報処理端末。
【請求項６】
情報処理端末であって、
画像入力手段と、認証情報記憶手段と、タッチ位置検出手段と、認証情報比較手段と、認証判断手段と、を備え、
前記画像入力手段は登録者の顔画像を入力し、
前記認証情報記憶手段は前記画像入力手段が入力した前記登録者の顔画像を記憶し、
前記タッチ位置検出手段は前記登録者が行った登録タッチ操作のタッチ位置座標を検出し、
前記認証情報記憶手段は前記タッチ位置検出手段が検出した登録タッチ操作のタッチ位置座標を更に記憶し、
前記画像入力手段は認証対象者の顔画像を入力し、
前記認証情報比較手段は前記画像入力手段が入力した前記認証対象者の顔画像と前記認証情報記憶手段に記憶されている前記登録者の顔画像を比較し、
前記タッチ位置検出手段は前記認証対象者が行った認証タッチ操作のタッチ位置座標を検出し、
前記認証情報比較手段は前記タッチ位置検出手段が検出した前記認証タッチ操作のタッチ位置座標と前記認証情報記憶手段に記憶されている前記登録タッチ操作のタッチ位置座標を更に比較し、
前記認証判断手段は前記認証情報比較手段における前記認証対象者の顔画像と前記登録者の顔画像の比較結果及び前記認証タッチ操作のタッチ位置座標と前記登録タッチ操作のタッチ位置座標の比較結果に基づいて前記認証対象者を認証するか否かの判断を行うことを特徴とする情報処理端末。
【請求項７】
前記情報処理端末は、更に、機能または動作の全部または一部を制限する端末ロック機能を制御する端末ロック制御手段を備え、
前記端末ロック制御手段は、前記認証判断手段が前記認証対象者を認証すると判断した場合に、前記端末ロック機能により制限された機能または動作の制限解除を実施するように制御を行うことを特徴とする請求項１乃至請求項６の何れか一項に記載の情報処理端末。
【請求項８】
情報処理端末の認証方法であって、
顔画像を表示する画像表示工程と、
前記画像表示工程で表示した前記顔画像の特定顔部位の位置へのタッチ順序を記憶する認証情報記憶工程と、
認証対象者が前記画像表示工程で表示した前記顔画像の特定顔部位の位置にタッチした順序が前記認証情報記憶工程で記憶したタッチ順序と同じか否かにより前記認証対象者を認証するか否かの判断を行う認証判断工程と、
を備えることを特徴とする情報処理端末の認証方法。
【請求項９】
情報処理端末の認証方法であって、
顔画像を表示する画像表示工程と、
前記画像表示工程で表示した前記顔画像から顔部位を検出するとともに、前記検出した顔部位の位置に基づいて認証タッチパターン入力用キー領域を設定し、前記設定した認証タッチパターン入力用キー領域に対して認証対象者が行ったタッチ操作を認証タッチパターンとして入力するタッチパターン入力工程と、
前記タッチパターン入力工程で入力した前記認証タッチパターンに基づいて前記認証対象者を認証するか否かの判断を行う認証判断工程と、
を含むことを特徴とする情報処理端末の認証方法。
【請求項１０】
前記情報処理端末の認証方法は、更に、顔画像を入力する画像入力工程を含み、
前記画像表示工程は、前記画像入力工程で入力した前記顔画像を表示することを特徴とする請求項８または請求項９記載の情報処理端末の認証方法。
【請求項１１】
情報処理端末の認証方法であって、
登録者の顔画像を入力する登録画像入力工程と、
前記登録画像入力工程で入力した前記登録者の顔画像を表示する登録画像表示工程と、
前記登録画像表示工程で表示した前記登録者の顔画像から顔部位を検出するとともに、前記検出した顔部位の位置に基づいて登録タッチパターン入力用キー領域を設定し、前記設定した登録タッチパターン入力用キー領域に対して前記登録者が行ったタッチ操作を登録タッチパターンとして入力する登録タッチパターン入力工程と、
前記登録タッチパターン入力工程で入力した前記登録タッチパターンを記憶する登録タッチパターン記憶工程と、
認証対象者の顔画像を入力する認証画像入力工程と、
前記認証画像入力工程で入力した前記認証対象者の顔画像を表示する認証画像表示工程と、
前記認証画像表示工程で表示した前記認証対象者の顔画像から顔部位を検出するとともに、前記検出した顔部位の位置に基づいて認証タッチパターン入力用キー領域を設定し、前記設定した認証タッチパターン入力用キー領域に対して前記認証対象者が行ったタッチ操作を認証タッチパターンとして入力する認証タッチパターン入力工程と、
前記認証タッチパターン入力工程で入力した前記認証タッチパターンと前記登録タッチパターン記憶工程で記憶した前記登録タッチパターンを比較する認証情報比較工程と、
前記認証情報比較工程における前記認証タッチパターンと前記登録タッチパターンの比較結果に基づいて前記認証対象者を認証するか否かの判断を行う認証判断工程と、
を含むことを特徴とする情報処理端末の認証方法。
【請求項１２】
情報処理端末の認証方法であって、
登録者の顔画像を入力する登録画像入力工程と、
前記登録画像入力工程で入力した前記登録者の顔画像を記憶する登録画像記憶工程と、
前記登録者が行った登録タッチ操作のタッチ位置座標を検出する登録タッチ位置検出工程と、
前記登録タッチ位置検出工程で検出した前記登録タッチ操作のタッチ位置座標を更に記憶する登録タッチ位置記憶工程と、
認証対象者の顔画像を入力する認証画像入力工程と、
前記認証画像入力工程で入力した前記認証対象者の顔画像と前記登録画像記憶工程で記憶した前記登録者の顔画像を比較する認証画像比較工程と、
前記認証対象者が行った認証タッチ操作のタッチ位置座標を検出する認証タッチ位置検出工程と、
前記認証タッチ位置検出工程で検出した前記認証タッチ操作のタッチ位置座標と前記登録タッチ位置記憶工程で記憶した前記登録タッチ操作のタッチ位置座標を比較する認証タッチ位置比較工程と、
前記認証画像比較工程における前記認証対象者の顔画像と前記登録者の顔画像の比較結果及び前記認証タッチ位置比較工程における前記認証タッチ操作のタッチ位置座標と前記登録タッチ操作のタッチ位置座標の比較結果に基づいて前記認証対象者を認証するか否かの判断を行う認証判断工程と、
を含むことを特徴とする情報処理端末の認証方法。
【請求項１３】
認証プログラムであって、
顔画像を表示する画像表示ステップと、
前記画像表示ステップで表示した前記顔画像の特定顔部位の位置へのタッチ順序を記憶する認証情報記憶ステップと、
認証対象者が前記画像表示ステップで表示した前記顔画像の特定顔部位の位置にタッチした順序が前記認証情報記憶ステップで記憶したタッチ順序と同じか否かにより前記認証対象者を認証するか否かの判断を行う認証判断ステップと、
をコンピュータに実行させることを特徴とする認証プログラム。
【請求項１４】
認証プログラムであって、
顔画像を表示する画像表示ステップと、
前記画像表示ステップで表示した前記顔画像から顔部位を検出するとともに、前記検出した顔部位の位置に基づいて認証タッチパターン入力用キー領域を設定し、前記設定した認証タッチパターン入力用キー領域に対して認証対象者が行ったタッチ操作を認証タッチパターンとして入力するタッチパターン入力ステップと、
前記タッチパターン入力ステップで入力した前記認証タッチパターンに基づいて前記認証対象者を認証するか否かの判断を行う認証判断ステップと、
をコンピュータに実行させることを特徴とする認証プログラム。
【請求項１５】
前記認証プログラムは、更に、顔画像を入力する画像入力ステップをコンピュータに実行させる認証プログラムであって、
前記画像表示ステップで表示する前記顔画像は前記画像入力ステップで入力した顔画像であることを特徴とする請求項１３または請求項１４記載の認証プログラム。
【請求項１６】
認証プログラムであって、
登録者の顔画像を入力する登録画像入力ステップと、
前記登録画像入力ステップで入力した前記登録者の顔画像を表示する登録画像表示ステップと、
前記登録画像表示ステップで表示した前記登録者の顔画像から顔部位を検出するとともに、前記検出した顔部位の位置に基づいて登録タッチパターン入力用キー領域を設定し、前記設定した登録タッチパターン入力用キー領域に対して前記登録者が行ったタッチ操作を登録タッチパターンとして入力する登録タッチパターン入力ステップと、
前記登録タッチパターン入力ステップで入力した前記登録タッチパターンを記憶する登録タッチパターン記憶ステップと、
認証対象者の顔画像を入力する認証画像入力ステップと、
前記認証画像入力ステップで入力した前記認証対象者の顔画像を表示する認証画像表示ステップと、
前記認証画像表示ステップで表示した前記認証対象者の顔画像から顔部位を検出するとともに、前記検出した顔部位の位置に基づいて認証タッチパターン入力用キー領域を設定し、前記設定した認証タッチパターン入力用キー領域に対して前記認証対象者が行ったタッチ操作を認証タッチパターンとして入力する認証タッチパターン入力ステップと、
前記認証タッチパターン入力ステップで入力した前記認証タッチパターンと前記登録タッチパターン記憶ステップで記憶した前記登録タッチパターンを比較する認証情報比較ステップと、
前記認証情報比較ステップにおける前記認証タッチパターンと前記登録タッチパターンの比較結果に基づいて前記認証対象者を認証するか否かの判断を行う認証判断ステップと、
をコンピュータに実行させることを特徴とする認証プログラム。
【請求項１７】
認証プログラムであって、
登録者の顔画像を入力する登録画像入力ステップと、
前記登録画像入力ステップで入力した前記登録者の顔画像を記憶する登録画像記憶ステップと、
前記登録者が行った登録タッチ操作のタッチ位置座標を検出する登録タッチ位置検出ステップと、
前記登録タッチ位置検出ステップで検出した前記登録タッチ操作のタッチ位置座標を更に記憶する登録タッチ位置記憶ステップと、
認証対象者の顔画像を入力する認証画像入力ステップと、
前記認証画像入力ステップで入力した前記認証対象者の顔画像と前記登録画像記憶ステップで記憶した前記登録者の顔画像を比較する認証画像比較ステップと、
前記認証対象者が行った認証タッチ操作のタッチ位置座標を検出する認証タッチ位置検出ステップと、
前記認証タッチ位置検出ステップで検出した前記認証タッチ操作のタッチ位置座標と前記登録タッチ位置記憶ステップで記憶した前記登録タッチ操作のタッチ位置座標を比較する認証タッチ位置比較ステップと、
前記認証画像比較ステップにおける前記認証対象者の顔画像と前記登録者の顔画像の比較結果及び前記認証タッチ位置比較ステップにおける前記認証タッチ操作のタッチ位置座標と前記登録タッチ操作のタッチ位置座標の比較結果に基づいて前記認証対象者を認証するか否かの判断を行う認証判断ステップと、
をコンピュータに実行させることを特徴とする認証プログラム。
【発明の詳細な説明】
【技術分野】
【０００１】
本発明は情報処理端末、その認証方法、及び認証プログラムに関する。
【背景技術】
【０００２】
近年、携帯電話機やスマートホン等の携帯型情報処理端末の普及が進み、多数の者が携帯型情報処理端末を保有するようになっている。また、ハードウエアの進化に伴い、携帯型情報処理端末は多くの個人情報を保持可能であるとともに、電子マネー機能による金銭取引機能等も備えるようになった。このため、第三者の無断使用による個人情報漏えいや金銭的被害が以前にも増して危惧されるようになっており、携帯型情報処理端末は端末ロック機能を備えることが一般的となっている。この端末ロック機能を設定／解除する方法としては、現状、ＰＩＮ（Ｐｅｒｓｏｎａｌ  Ｉｄｅｎｔｉｆｉｃａｔｉｏｎ  Ｎｕｍｂｅｒ）入力若しくはパスワード入力による方法が多く採用されているが、近年では顔認証を用いた方法も提案されている。
【０００３】
顔認証においては、登録していない人物を認証登録者として受理してしまう誤認証率を０％とすることが難しく、また誤認証率を低減させると認証対象者を認証登録者として正しく受理する本人受入率が低下してしまう認証漏れが発生する。更には、認証対象者の顔が撮影された環境や向きが認証登録者の登録処理をした時と異なる場合、認証精度が低下する場合がある。このため、情報処理端末の認証処理を顔認証のみで行うことはセキュリティ強度が充分とはいえない。
【０００４】
上記問題の解決手法として下記特許文献１に記載の技術がある。
【先行技術文献】
【特許文献】
【０００５】
【特許文献１】ＷＯ２００７−１１９８１８号公報
【発明の概要】
【発明が解決しようとする課題】
【０００６】
前記特許文献１には、『ユーザがキー入力手段によりキー入力を行うことをきっかけにして、顔認証手段が、撮像部で撮影したユーザの顔画像を用いて顔認証を行う。これとともに、キー入力内容判定手段が、入力されたキー入力のパターンが予め登録されているパターンと一致するか否かを判定する。そして、顔認証手段による顔認証結果と、キー入力内容判定手段によるキー入力判定結果とに基づいて、ロック解除判定手段がロックを解除するか否かを判定する。ロック解除判定手段によってロック解除と判定された場合には、機能ロック部がロックを解除する。』システムが記載されている。
【０００７】
しかしながら、前記特許文献１に記載の技術は顔認証結果とキー入力判定結果の双方に基づいてロック解除判定を行うため、認証の対象者は、顔認証の際にはカメラの方向を向き、キー入力をする際にはキーボード等の入力デバイスに視線を移す必要があり、利便性が損なわれるという課題がある。
【０００８】
本発明の目的は、上記課題を考慮し、セキュリティ強度を確保しつつ利便性の高い認証方法を提供することにある。
【課題を解決するための手段】
【０００９】
前記課題を解決するための手段として、本発明では、特許請求の範囲に記載された構成を用いる。
【００１０】
一例を挙げるならば、顔画像を表示する画像表示手段と、前記画像表示手段で表示した前記顔画像から顔部位を検出するとともに、前記検出した顔部位の位置に基づいて認証タッチパターン入力用キー領域を設定し、前記設定した認証タッチパターン入力用キー領域に対して認証対象者が行ったタッチ操作を認証タッチパターンとして入力するタッチパターン入力手段と、前記タッチパターン入力手段で入力した前記認証タッチパターンに基づいて前記認証対象者を認証するか否かの判断を行う認証判断手段と、を備えることを特徴とする情報処理端末、を用いる。
【発明の効果】
【００１１】
本発明により、セキュリティ強度を確保しつつ利便性の高い認証方法を提供することが可能となる。
【図面の簡単な説明】
【００１２】
【図１】実施例に係る情報処理端末のブロック図である。
【図２】実施例に係る情報処理端末の外観図である。
【図３】実施例に係る情報処理端末を含む通信システム構成図である。
【図４】実施例に係る情報処理端末の端末ロック時の待機状態の画面表示図である。
【図５】実施例に係る情報処理端末の端末ロック時の画面表示図である。
【図６】実施例に係る情報処理端末の認証処理のフローチャートである。
【図７】実施例に係る情報処理端末の顔認証処理失敗時の画面表示図である。
【図８】実施例に係る情報処理端末のタッチパターン認証処理時の画面表示図である。
【図９】実施例に係る情報処理端末のタッチパターン入力用キー領域の設定を説明する概念図である。
【図１０】実施例に係る情報処理端末のタッチパターン入力用キー領域の設定を説明する概念図である。
【図１１】実施例に係る情報処理端末の認証処理成功時の画面表示図である。
【図１２】実施例に係る情報処理端末のタッチパターン認証処理失敗時の画面表示図である。
【図１３】実施例に係る情報処理端末のタッチパターン認証処理における一致率確認処理に関する説明図である。
【図１４】実施例に係る情報処理端末のタッチパターン認証処理におけるセキュリティ強度に関する説明図である。
【図１５】実施例に係る情報処理端末の認証登録処理のフローチャートである。
【図１６】実施例に係る情報処理端末のタッチ位置及び順序の登録処理を説明する概念図である。
【図１７】実施例に係る情報処理端末の認証処理のフローチャートである。
【図１８】実施例に係る情報処理端末のタッチ位置比較処理を説明する概念図である。
【図１９】実施例に係る情報処理端末のタッチパターン認証処理における一致率確認処理に関する説明図である。
【発明を実施するための形態】
【００１３】
以下、本発明の実施形態の例を、図面を用いて説明する。
【実施例１】
【００１４】
図１は、本実施例の情報処理端末のブロック図である。情報処理端末１００は、制御部１０１、システムバス１０２、ＲＯＭ１０３、ＲＡＭ１０４、ストレージ部１１０、表示部１２１、表示処理部１２２、映像入力部１２３、スピーカ１２４、音声処理部１２５、音声入力部１２６、操作部１３０、電話網通信部１４１、ＬＡＮ通信部１４２、端末ロック制御部１５１、一致率確認部１５２、顔部位認識部１５３、外部インタフェース１６０、加速度センサ１７１、ジャイロセンサ１７２、地磁気センサ１７３、ＧＰＳ受信部１７４、照度センサ１７５、で構成される。
【００１５】
図２は、情報処理端末１００の外観図の一例である。図２において、図１と同一の符号を有するものは図１と同一の構成／機能であるものとする。なお、図２の外観図には後述で詳細を説明する代表的構成のみを図示し、その他の構成に関しては図示及び符号の付加を省略している。
【００１６】
図３は、情報処理端末１００を含む通信システムの一例である。本実施例の通信システムは、情報処理端末１００、インターネット等の公衆ネットワーク２００及びその無線通信用アクセスポイント２０１、インターネットメールサーバ２１１、アプリケーションサーバ２１２、移動体電話通信メールサーバ２２１、移動体電話通信網の基地局２２２、で構成される。
【００１７】
情報処理端末１００は、携帯電話やスマートホンであっても良いし、ＰＤＡ（Ｐｅｒｓｏｎａｌ  Ｄｉｇｉｔａｌ  Ａｓｓｉｓｔａｎｔｓ）や据え置き型／携行型ＰＣ（Ｐｅｒｓｏｎａｌ  Ｃｏｍｐｕｔｅｒ）、タブレット端末であっても良い。また、携帯型ゲーム機やデジタルカメラ等、その他のデジタル機器であっても良い。更には、例えば、銀行等の現金自動預け払い機の認証インタフェース、入退室管理された場所でのドア開閉に関する認証インタフェース、等に適用されても良い。
【００１８】
制御部１０１は、所定のプログラムに従って情報処理端末１００全体を制御するマイクロプロセッサユニットである。システムバス１０２は、制御部１０１と情報処理端末１００内の各部との間でデータ送受信を行うためのデータ通信路である。ＲＯＭ（Ｒｅａｄ  Ｏｎｌｙ  Ｍｅｍｏｒｙ）１０３は、オペレーティングシステムや所定のアプリケーションプログラムなど、情報処理端末１００の基本動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＯＭ１０３に格納されたプログラムを更新することにより、基本動作プログラムのバージョンアップや機能拡張が可能であるものとする。なお、ＲＯＭ１０３は図１に示したような独立構成とはせず、ストレージ部１１０内の一部記憶領域を使用しても良い。ＲＡＭ（Ｒａｎｄｏｍ  Ａｃｃｅｓｓ  Ｍｅｍｏｒｙ）１０４は基本動作プログラム若しくは各アプリケーション実行時のワークエリアとなる。また、ＲＯＭ１０３及びＲＡＭ１０４は制御部１０１と一体構成であっても良い。
【００１９】
ストレージ部１１０は、情報処理端末１００の各動作設定値や情報処理端末１００の使用者の個人情報（アドレス帳やスケジュール等）、情報処理端末１００で動作する各種のアプリケーション等を記憶する。ストレージ部１１０は、内部に認証情報記憶領域１１１、タッチパターン記憶領域１１２及びその他情報憶記憶領域１１３を有する。なお、その他情報記憶領域１１３の一部領域を以ってＲＯＭ１０３の機能の全部または一部を代替しても良い。ストレージ部１１０は情報処理端末１００が電源オフの状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等が用いられる。
【００２０】
また、情報処理端末１００は、インターネット２００に接続されたアプリケーションサーバ２１２から、電話網通信部１４１またはＬＡＮ通信部１４２を介して、新規アプリケーションをダウンロードすることにより、機能拡張をすることが可能であるものとする。この際、ダウンロードした前記新規アプリケーションはストレージ部１１０内のその他情報記憶領域１１３に記憶される。ストレージ部１１０内のその他情報記憶領域１１３に記憶された前記アプリケーションが使用時にＲＡＭ１０４上に展開されて実行されることにより、情報処理端末１００は多種の機能を実現可能であるものとする。
【００２１】
表示部１２１は例えば液晶パネルのような表示デバイスであり、表示処理部１２２において処理した映像信号を情報処理端末１００の使用者に提供する。映像入力部１２３はカメラであり、レンズから入力した光を電気信号に変換することにより周囲や対象物の画像データを入力する。スピーカ１２４は音声処理部１２５において処理した音声信号を情報処理端末１００の使用者に提供する。音声入力部１２６はマイクであり、使用者の声などの音声データを入力する。
【００２２】
操作部１３０は情報処理端末１００の使用者の操作に基づいて指示の入力を行う指示入力部であり、文字入力や実行中のアプリケーションの操作に用いる。ボタンスイッチを並べたマルチキーにより実現しても良いし、表示部１２１に重ねて配置したタッチパネルにより実現しても良い。また、両者を併用しても良い。本実施例の情報処理端末１００においては、操作部１３０は複数のボタンスイッチ（図示省略）及び表示部１２１に重ねて配置したタッチパネルの併用により構成されるものとする。
【００２３】
電話網通信部１４１は移動体電話通信網の基地局２２２との通信を行う。ＬＡＮ（Ｌｏｃａｌ  Ａｒｅａ  Ｎｅｔｗｏｒｋ）通信部１４２はインターネット２００の無線通信用アクセスポイント２０１と無線通信により接続し、情報の送受を行う。電話網通信部１４１及びＬＡＮ通信部１４２はそれぞれアンテナ、符号回路及び復号回路等で構成される。
【００２４】
端末ロック制御部１５１はマイクロプロセッサ等で構成され、情報処理端末１００の全部または一部の機能または動作の制限（以下、『端末ロック』と称する）を制御する。一致率確認部１５２は、ストレージ部１１０内の認証情報記憶領域１１１に記憶されている認証登録者の顔認証登録画像及びタッチパターン記憶領域１１２に記憶されている認証登録タッチパターンを、認証処理時に認証対象者が入力した顔認証入力画像及び認証入力タッチパターンと比較し、それぞれが一致しているか否かの確認を行う。顔部位認識部１５３は、映像入力部１２３のカメラ機能で入力した顔画像から顔を構成する主要な部位の位置を特定して表示部１２１及び操作部１３０（タッチパネル）上における座標を検出する。端末ロック制御部１５１、一致率確認部１５２及び顔部位認識部１５３の機能の詳細は後述する。端末ロック制御部１５１、一致率確認部１５２及び顔部位認識部１５３の機能は制御部１０１が代替することにより実現しても良い。
【００２５】
外部インタフェース１６０は情報処理端末１００の機能を拡張するためのインタフェースであり、ＵＳＢ（Ｕｎｉｖｅｒｓａｌ  Ｓｅｒｉａｌ  Ｂｕｓ）機器若しくはメモリカード類の接続、或いは外部モニタに映像を表示するための映像ケーブルの接続等を行う。
【００２６】
加速度センサ１７１、ジャイロセンサ１７２、地磁気センサ１７３、ＧＰＳ受信部１７４等は、情報処理端末１００の状態を検出するセンサである。これらのセンサにより情報処理端末１００の動き、傾き、方角、位置等を検出することが可能となる。照度センサ１７５は情報処理端末１００周辺の明るさを検出する。
【００２７】
なお、図１に示した情報処理端末１００の構成例は、各センサ類（１７１〜１７５）を初めとして、本実施例に必須ではない構成も多数含んでいる。電話網通信部１４１及びＬＡＮ通信部１４２はいずれか一方が少なくとも備えられていることが望ましいが、双方ともに備えられていない構成であっても本実施例の効果を損なうことはない。また、デジタルテレビ放送受信機能や電子マネー決済機能等、図示していない構成が加えられていても良い。また、情報処理端末１００が据え置き型ＰＣである場合等、表示部１２１を内蔵せず、表示処理部１２２での処理結果を出力する外部インタフェース１６０を別途用意した外部モニタの映像入力端子と映像ケーブルで接続することにより、情報処理端末１００の使用者に画像情報を提供する構成であっても良い。
【００２８】
本実施例の情報処理端末１００は端末ロック機能を有する。前記端末ロック機能の設定及び解除はストレージ部１１０内の認証情報記憶領域１１１に記憶されている顔認証登録画像及びタッチパターン記憶領域１１２に記憶されている認証登録タッチパターンに基づいて行われる。なお、情報処理端末１００は、端末ロック状態では端末ロックの解除に係る操作以外は基本的に受け付けないものとする。或いは、ストレージ部１１０に記憶された情報処理端末１００の使用者の個人情報へのアクセスや、金銭授受若しくは課金処理を伴う操作は少なくとも受け付けないようにする。
【００２９】
本実施例の情報処理端末１００を使用するに際し、情報処理端末１００の使用者は、認証登録者（即ち、情報処理端末１００の使用が許容されている者）の顔画像を顔認証登録画像として、また、認証登録者が定めたタッチパターン順序を認証登録タッチパターンとして、ストレージ部１１０内の認証情報記憶領域１１１及びタッチパターン記憶領域１１２に、予め記憶させておく。認証情報記憶領域１１１に記憶させる顔認証登録画像は、前記認証登録者の顔画像を映像入力部１２３のカメラ機能で入力すれば良い。また、タッチパターン記憶領域１１２に記憶させる認証登録タッチパターンは、前記顔認証登録画像を表示部１２１に表示させた状態で、表示部１２１に重ねて配置された操作部１３０（タッチパネル）を、後述のタッチパターン認証処理時と同様の手順でタッチ操作し、そのタッチパターン順序を認証登録タッチパターンとして登録すれば良い。
【００３０】
なお、認証情報記憶領域１１１に記憶させる顔認証登録画像は、顔画像そのものでも良いし、顔画像から抽出した特徴点のデータベースであっても良い。また、認証情報記憶領域１１１に記憶させる顔認証登録画像は一つの顔画像のみでも良いが、撮影時の顔の向きや照明状況等を変えた複数の顔画像を記憶させておき、顔認証処理時に最も適切な一つを選択して顔認証登録画像として使用するようにしても良い。情報処理端末１００の正当な使用者が複数存在する場合には複数人分の顔画像を顔認証登録画像として記憶させても良い。
【００３１】
タッチパターン記憶領域１１２に記憶させておく認証登録タッチパターンも一つのタッチパターン順序のみを記憶させるようにしても良いが、異なる複数のタッチパターン順序を用意し、タッチパターン認証処理時に入力されたタッチパターン順序により端末ロックの解除処理の対象となる機能を選択するようにしても良い。例えば、簡単なタッチパターン順序で認証を行った場合にはロックされた機能の一部のみに対して端末ロック解除処理を行い、複雑なタッチパターン順序で認証を行った場合には全ての機能の端末ロック解除を行う、等である。また、認証登録タッチパターンとして一つのタッチパターン順序のみを記憶し、タッチ操作の順序がタッチパターン順序に一致した回数が第１の値（例えば、２）を超える場合には、一部の機能及び動作の制限の解除を行い、前記第１の値よりも大きい第２の値（例えば４）を超えた場合には、全ての機能及び動作の制限の解除を行うようにしても良い。
【００３２】
次に、本実施例の情報処理端末１００の端末ロック解除処理の制御に関して説明する。なお、以下では、情報処理端末１００は、ストレージ部１１０内の認証情報記憶領域１１１及びタッチパターン記憶領域１１２に顔認証登録画像及び認証登録タッチパターンのタッチパターン順序が登録済みであり、更に、情報処理端末１００は端末ロック状態であるものとする。
【００３３】
制御部１０１は、端末ロック状態の未操作時（待機状態）には、図４に示すように、表示部１２１ａには何も表示しないものとする。この状態で操作部１３０への端末操作を受け付けた場合（本実施例では、タッチパネル１３０ａへのタッチ操作があった場合）、制御部１０１は、図５に示すような、情報処理端末１００が端末ロック状態にある旨及び端末ロックの解除には認証処理が必要である旨のメッセージを表示部１２１ｂに表示する。ここで情報処理端末１００の使用者がタッチパネル１３０ｂの『Ｃａｎｃｅｌ』部をタッチ操作した場合、制御部１０１は端末ロック解除のための認証処理を開始せず、表示部１２１ｂに表示されたメッセージを消去して待機状態に戻る。一方、情報処理端末１００の使用者がタッチパネル１３０ｂの『ＯＫ』部をタッチ操作した場合には、制御部１０１は端末ロック解除のための認証処理を開始する。
【００３４】
図６は、本実施例の情報処理端末１００における端末ロック解除のための認証処理のフローチャートである。
【００３５】
本実施例の情報処理端末１００では、認証処理を開始すると、まず、制御部１０１が情報処理端末１００の使用者（認証対象者）の顔画像を入力するために映像入力部１２３のカメラ機能を有効化し、映像入力部１２３がそのカメラ機能で認証対象者の顔画像を入力する（Ｓ１０１）。次に、一致率確認部１５２が、Ｓ１０１で入力した認証対象者の顔画像（顔認証入力画像）とストレージ部１１０内の認証情報記憶領域１１１に記憶されている顔認証登録画像を比較照合することにより、一致率の検出を行う（Ｓ１０２）。なお、顔認証入力画像と顔認証登録画像を比較照合することによる一致率の検出は、例えば、顔画像の目や鼻、口角、顔輪郭等から抽出した特徴点のそれぞれの相対距離等を比較することにより行い、その総数に対する一致数を以って一致率とする、等の処理を行えば良い。
【００３６】
Ｓ１０２で検出した顔認証入力画像と顔認証登録画像の一致率が所定の値未満の場合（Ｓ１０３）、認証に失敗したものとして、端末ロック制御部１５１は端末ロック解除処理を行わず、制御部１０１は、図７に示すような、再度認証処理を行うか否かを認証対象者に問い合わせるメッセージを表示部１２１ｃに表示する（Ｓ１０４）。ここで、認証対象者が再度認証処理を行うことを選択した場合には、制御部１０１は表示部１２１ｃに表示されたメッセージを消去してＳ１０１から処理をやり直す。認証対象者が再度認証処理を行わないことを選択した場合には、制御部１０１は表示部１２１ｃに表示されたメッセージを消去するとともに、端末ロック解除のための認証処理を終了して待機状態に戻る。
【００３７】
なお、本実施例の情報処理端末１００では、前述の顔認証処理（Ｓ１０１〜Ｓ１０３）で認証漏れが生じることを避けるため、前記所定の値を低めに設定するようにしても良い。前記設定とすれば、認証漏れの発生率を低減させることが可能となる。なお、前記設定とした場合、顔認証処理における誤認証の発生率が上昇するが、本実施例の情報処理端末１００においては、後述のタッチパターン認証処理との組み合わせにより認証システムを構成しているため、必要なセキュリティ強度を確保することが可能である。以下では、顔認証処理に続いて行うタッチパターン認証処理に関して説明する。
【００３８】
Ｓ１０２で検出した顔認証入力画像と顔認証登録画像の一致率が所定の値以上の場合（Ｓ１０３）、制御部１０１は、図８に示すように、Ｓ１０１で入力した顔認証入力画像を表示部１２１ｄに表示する（Ｓ１０５）。同時に、顔部位認識部１５３が、表示部１２１ｄに表示した顔認証入力画像から顔を構成する主要な部位、例えば、『右目』、『左目』、『鼻』、『口』、『右耳』及び『左耳』の位置を検出し、表示部１２１及び操作部１３０（タッチパネル）上における座標を特定する。更に、前記特定した座標を含む所定範囲をタッチパターン入力用キー領域として設定する（Ｓ１０６）。
【００３９】
タッチパターン入力用キー領域の設定に関して、以下に説明する。
【００４０】
例えば、顔部位認識部１５３が顔認証入力画像の『右目』を図９に示す一点鎖線で囲まれた範囲として検出した場合、『右目』のタッチパターン入力用キー領域は破線で囲まれた領域内の全てを設定するようにする。具体的には、例えば表示部１２１の全表示画素数及び操作部１３０（タッチパネル）の分解能が縦１２８０画素、横７６８画素である場合、顔部位認識部１５３で検出された『右目』の範囲よりも縦方向に±４０画素（全縦画素数の三十二分の一）、横方向に±２４画素（全横画素数の三十二分の一）程度広い領域をタッチパターン入力用キー領域として設定すれば良い。前記設定により、タッチパターン認証処理時に認証対象者が『右目』の表示されている領域と多少ずれた位置をタッチした場合でも、制御部１０１は認証対象者が『右目』をタッチしたものと認識することが可能となる。その結果、タッチパターン認証処理におけるタッチ操作の利便性を向上させることが可能となる。
【００４１】
同様に、『左目』、『鼻』、『口』、『右耳』、『左耳』のタッチパターン入力用キー領域も、顔部位認識部１５３が検出した『左目』、『鼻』、『口』、『右耳』、『左耳』の範囲よりも広い、図１０に示すような、領域１２１ｅ２、領域１２１ｅ３、領域１２１ｅ４、領域１２１ｅ５、領域１２１ｅ６を設定するようにする。
【００４２】
また、本実施例では、前述の６ヶ所（『右目』、『左目』、『鼻』、『口』、『右耳』、『左耳』）をタッチパターン入力用キー領域として設定しているが、この他に『額』や『顎』等をタッチパターン入力用キー領域として設定しても良い。或いは、『右目』、『左目』、『鼻』、『口』の四ヶ所のみをタッチパターン入力用キー領域として設定しても良い。タッチパターン入力用キー領域の数が多いほどタッチパターン認証処理におけるセキュリティ強度が向上する。何れの顔部位を検出してタッチパターン入力用キー領域として設定するかは予め定めておけば良い。なお、図１０に示した破線はタッチパターン入力用キー領域を説明するために付加した補助線であり、表示部１２１ｅに実際に表示する必要はない。但し、認証対象者にタッチパターン入力用キー領域を明示する目的で表示部１２１ｅに前記破線を表示しても良い。
【００４３】
Ｓ１０５で表示部１２１に顔認証入力画像が表示され、Ｓ１０６で顔を構成する主要な部位のタッチパターン入力用キー領域が設定された後、認証対象者が操作部１３０（タッチパネル）をタッチ操作すると、制御部１０１は前記タッチ操作を認証入力タッチパターンとして認識する（Ｓ１０７）。次に、一致率確認部１５２がＳ１０７で入力された認証入力タッチパターンのタッチパターン順序とタッチパターン記憶領域１１２に記憶されている認証登録タッチパターンのタッチパターン順序を比較する（Ｓ１０８）。Ｓ１０８において、Ｓ１０７で入力された認証入力タッチパターンのタッチパターン順序とタッチパターン記憶領域１１２に記憶されている認証登録タッチパターンのタッチパターン順序が一致した場合、制御部１０１が図１１に示すようなメッセージを表示部１２１ｆに表示した後に、端末ロック制御部１５１が情報処理端末１００の端末ロック解除処理を行う（Ｓ１０９）。
【００４４】
一方、Ｓ１０７で入力された認証入力タッチパターンのタッチパターン順序とタッチパターン記憶領域１１２に記憶されている認証登録タッチパターンのタッチパターン順序が一致しない場合、端末ロック制御部１５１は端末ロック解除処理を行わず、制御部１０１は、図１２に示すような、認証に失敗し、再度認証処理を行うか否かを認証対象者に問い合わせるメッセージを表示部１２１ｇに表示する（Ｓ１０４）。ここで、認証対象者が再度認証処理を行うことを選択した場合には、制御部１０１は表示部１２１ｇに表示されたメッセージを消去してＳ１０１から（Ｓ１０５、Ｓ１０６若しくはＳ１０７からでも良い）処理をやり直す。認証対象者が再度認証処理を行わないことを選択した場合には、制御部１０１は表示部１２１ｇに表示されたメッセージを消去するとともに、端末ロック解除のための認証処理を終了して待機状態に戻る。
【００４５】
Ｓ１０８で行うタッチパターン順序の比較処理に関して、以下に説明する。
【００４６】
本実施例の情報処理端末１００においては、顔部位認識部１５３が設定したタッチパターン認証処理のためのタッチパターン入力用キー領域が、『右目』、『左目』、『鼻』、『口』、『右耳』、『左耳』の六ヶ所であり、且つ、タッチパターン記憶領域１１２に記憶されている認証登録タッチパターンのタッチパターン順序が、図１３に示すように、『右目→口→左耳→鼻』の順序であるものとする。この場合、Ｓ１０７で認証対象者が顔認証入力画像の表示された表示部１２１に重ねて配置された操作部１３０（タッチパネル）の各顔部位に設定されたタッチパターン入力用キー領域を『右目→口→左耳→鼻』（図１３の認証入力タッチパターン順序１）の順序でタッチ操作すれば、一致率確認部１５２は認証対象者が認証登録者と同一人物であると判断し、端末ロック制御部１５１が端末ロック解除処理を実行する。
【００４７】
一方、Ｓ１０７で認証対象者が顔認証入力画像の表示された表示部１２１に重ねて配置された操作部１３０（タッチパネル）の各顔部位に設定されたタッチパターン入力用キー領域を『右目→左耳→口→鼻』（図１３の認証入力タッチパターン順序２）の順序でタッチ操作した場合、一致率確認部１５２は認証対象者が認証登録者と同一人物ではないと判断し、端末ロック制御部１５１は端末ロック解除処理を実行しない。即ち、認証対象者がタッチ操作した顔部位の位置は同一であるが、その順番が異なるためである。
【００４８】
なお、図１３の認証入力タッチパターン順序３に示したように、Ｓ１０７で認証対象者が顔認証入力画像の表示された表示部１２１に重ねて配置された操作部１３０（タッチパネル）の各顔部位に設定されたタッチパターン入力用キー領域を『右目→口→額→左耳→鼻』の順序でタッチした場合には、本実施例の情報処理端末１００においては、一致率確認部１５２は認証対象者が認証登録者と同一人物であると判断し、端末ロック制御部１５１が端末ロック解除処理を実行するようにする。即ち、タッチパターン入力用キー領域として設定されていない顔部位（『額』）へのタッチ操作は無視してタッチパターン順序を比較照合するようにしている。但し、タッチパターン入力用キー領域として設定されていない顔部位（『額』）へのタッチ操作も比較対象とし、前記認証入力タッチパターン順序３はタッチパターン記憶領域１１２に記憶されている認証登録タッチパターンのタッチパターン順序と異なるものと判断するようにしても良い。前記何れの判断を選択するかは予め設定により定めておけば良い。
【００４９】
また、図１３に例示したタッチパターン順序は、顔画像上に六ヶ所設定されたタッチパターン入力用キー領域を四回タッチ操作することにより構成されるものとした。しかしながら、前述は一例に過ぎず、例えば図１４の認証入力タッチパターン例１に示すように、六ヶ所用意されたタッチパターン入力用キー領域のうちの何れか一ヶ所を一回だけタッチ操作することによりタッチパターン順序を構成しても良い。図１４の認証入力タッチパターン例３に示すように、六ヶ所用意されたタッチパターン入力用キー領域を六回タッチ操作することによりタッチパターン順序を構成しても良い。また、図１４の認証入力タッチパターン例４に示すように、六ヶ所用意されたタッチパターン入力用キー領域を八回タッチ操作することによりタッチパターン順序を構成しても良い。
【００５０】
言うまでもなく、タッチパターン順序を構成するタッチ操作の回数が多いほどタッチパターン認証処理におけるセキュリティ強度は強くなるため、少なくとも四回程度以上のタッチ操作によりタッチパターン順序を構成することが望ましい。しかしながら、本実施例の情報処理端末１００においては、認証処理として顔認証処理及びタッチパターン認証処理の双方を行い、それぞれの認証結果の論理積に基づいて端末ロック解除処理の制御を行うようにしている。このため、タッチパターン認証処理におけるタッチパターン順序が一回のタッチ操作のみにより構成される場合であっても、必要なセキュリティ強度を確保することが可能である。
【００５１】
なお、タッチパターン入力用キー領域が六ヶ所設定されている場合、タッチパターン順序を構成するタッチ操作を六回以上とすれば、数字のみを使用した四桁ＰＩＮ入力による認証処理を上回るセキュリティ強度を確保可能である。また、タッチパターン入力用キー領域が四ヶ所のみ設定されている場合、タッチパターン順序を構成するタッチ操作を七回以上とすれば、数字のみを使用した四桁ＰＩＮ入力による認証処理を上回るセキュリティ強度を確保可能である。このようにすれば、情報処理端末１００の認証処理として、顔認証処理を行わずにタッチパターン認証処理のみを行った場合（即ち、図６に示したフローチャートのＳ１０１〜Ｓ１０３を実行しない場合）にも実用上充分なセキュリティ強度を確保可能である。
【００５２】
以上説明したように、本実施例の情報処理端末１００は、認証処理として顔認証処理及びタッチパターン認証処理の双方を行い、それぞれの認証に成功した場合に端末ロック解除処理の制御を行う。このため、顔認証処理のみにより端末ロック解除処理の制御を行うシステムと比較して、よりセキュリティ強度の強い認証システムを実現することができる。或いは、タッチパターン認証処理のみにより端末ロック解除処理の制御を行う場合であっても、前記タッチパターン順序を構成するタッチ操作の回数をある程度以上多い回数とすれば、よりセキュリティ強度の強い認証システムを実現することができる。また、本実施例の情報処理端末１００の、顔認証処理に続けて行うタッチパターン認証処理は、顔認証処理の際に入力した顔画像を表示する表示部１２１に重ねて配置された操作部１３０（タッチパネル）上をタッチ操作するだけで良い。このため、顔認証処理とＰＩＮ入力による認証処理を組み合わせた場合や顔認証処理とキー操作による認証処理を組み合わせた場合のような、二種類の異なる認証処理を行う場合と比較して、一種類の一連の認証処理のみを行っているように感じるため、心理的負荷が低減され、利便性を損なわずに済む。また、情報処理装置１００を使用しようとする者は、表示部１２１を見ながら端末ロックを解除できるので、視線を移動する必要も生じず、利便性を確保できる。この結果、本実施例の情報処理端末では、セキュリティ強度を確保しつつ利便性の高い認証方法を実現することが可能となる。
【００５３】
なお、前述の実施例では、Ｓ１０５において、Ｓ１０１で入力した顔認証入力画像を表示するものとして説明を行っているが、ここでストレージ部１１０内の認証情報記憶領域１１１に記憶されている顔認証登録画像を表示する構成であっても良い。以降、前記顔認証登録画像に対して顔部位の検出、タッチパターン入力用キー領域の設定等を行うようにする。このような構成としても、前述の実施例の効果を同様に得ることが可能である。
【００５４】
また、Ｓ１０５において、Ｓ１０１で入力した顔認証入力画像やストレージ部１１０内の認証情報記憶領域１１１に記憶されている顔認証登録画像を表示する代わりに、例えば情報処理端末１００の使用者の家族の顔画像や、お気に入りのタレントの顔画像等を表示するようにしても良い。前記情報処理端末１００の使用者の家族の顔画像等は予め映像入力部１２３のカメラ機能を用いて入力してストレージ部１１０内の認証情報記憶領域１１１またはその他情報記憶領域１１３に記憶しておく。或いは、外部インタフェース１６０を介してメモリカード等から読み込み、ストレージ部１１０内の認証情報記憶領域１１１またはその他情報記憶領域１１３に記憶しておく。または、ＬＡＮ通信部１４２を介してインターネット上のサーバからダウンロードして、ストレージ部１１０内の認証情報記憶領域１１１またはその他情報記憶領域１１３に記憶しておく、等でも良い。以降、前記情報処理端末１００の使用者の家族の顔画像等に対して顔部位の検出、タッチパターン入力用キー領域の設定等を行うようにする。このような構成としても、前述の実施例の効果を同様に得ることが可能である。
【００５５】
例えば、顔認証処理を行わずにタッチパターン認証処理のみで認証システムを構成する場合、認証用情報の登録時には認証登録者の顔画像に対して顔部位の検出、タッチパターン入力用キー領域の設定及び認証登録タッチパターンの入力を行い、認証処理時には前記情報処理端末１００の使用者の家族の顔画像に対して顔部位の検出、タッチパターン入力用キー領域の設定及び認証登録タッチパターンの入力を行ってタッチパターン順序の比較を行う、等の例も考えられる。
【実施例２】
【００５６】
以下では本発明の実施例２に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。なお、本実施例の情報処理端末１００においては、顔部位認識部１５３は必須の構成ではない。
【００５７】
本実施例の情報処理端末１００を使用するに際し、情報処理端末１００の使用者は、実施例１の場合と同様に、ストレージ部１１０内の認証情報記憶領域１１１及びタッチパターン記憶領域１１２に、予め顔認証登録画像と認証登録タッチパターンを記憶させておく。タッチパターン記憶領域１１２に記憶させる認証登録タッチパターンは、本実施例では、実施例１の構成の顔部位認識部１５３が顔認証登録画像から検出して設定したタッチパターン入力用キー領域をタッチ操作することにより得られたタッチパターン順序ではなく、顔認証登録画像が表示されている表示部１２１に重ねて配置された操作部１３０（タッチパネル）上の任意の位置をタッチ操作することにより得られたタッチ位置及び順序を記憶させておく。詳細は後述する。
【００５８】
認証登録時の処理に関して、図１５のフローチャートを用いて説明する。
【００５９】
情報処理端末１００の使用者が自らを認証登録者として情報処理端末１００に登録するための認証登録処理を開始すると、まず、制御部１０１が情報処理端末１００の使用者（認証登録者）の顔画像を入力するために映像入力部１２３のカメラ機能を有効化し、映像入力部１２３がそのカメラ機能で認証登録者の顔画像を入力する（Ｓ２０１）。更に、Ｓ２０１で入力した認証登録者の顔画像を顔認証登録画像としてストレージ部１１０内の認証情報記憶領域１１１に登録する（Ｓ２０２）。
【００６０】
次に、認証登録タッチパターンの登録を行うために、制御部１０１は、Ｓ２０１で入力した顔認証登録画像を表示部１２１に表示する（Ｓ２０３）。表示部１２１にＳ２０１で入力した顔認証登録画像が表示された状態で、認証登録者が表示部１２１に重ねて配置された操作部１３０（タッチパネル）に対してタッチ操作すると、制御部１０１は前記タッチ操作を認証登録タッチパターンとして認識する（Ｓ２０４）。更に、制御部１０１は、Ｓ２０４で入力された認証登録タッチパターンをストレージ部１１０内のタッチパターン記憶領域１１２に登録する（Ｓ２０５）。
【００６１】
本実施例の情報処理端末１００における認証登録タッチパターンに関して、以下に説明する。
【００６２】
本実施例の情報処理端末１００では、認証登録タッチパターンとして、顔認証登録画像が表示されている表示部１２１に重ねて配置された操作部１３０（タッチパネル）上の任意の位置を一回若しくは複数回タッチ操作することにより得られたタッチ位置及び順序をタッチパターン記憶領域１１２に記憶させる。例えば、図１６に示すように、認証登録者が、認証登録処理の際に、タッチパネル１３０ｈ上の位置１３０ｈ１、位置１３０ｈ２、位置１３０ｈ３を順にタッチ操作した場合、制御部１０１は前記位置１３０ｈ１、位置１３０ｈ２、位置１３０ｈ３の座標を検出し、前記検出した座標をタッチ順序と併せて（タッチ操作が複数回の場合）、認証登録タッチパターンとしてタッチパターン記憶領域１１２に登録する。
【００６３】
なお、認証登録タッチパターンとして登録可能なタッチ位置は、操作部１３０（タッチパネル）上の何れの場所でも良く、表示部１２１に表示されている顔認証登録画像及びその顔部位の上に限るものではない。
【００６４】
次に、本実施例の情報処理端末１００の端末ロック解除処理の制御に関して説明する。なお、以下では、情報処理端末１００は、ストレージ部１１０内の認証情報記憶領域１１１及びタッチパターン記憶領域１１２に顔認証登録画像及び認証登録タッチパターンのタッチ位置及び順序が登録済みであり、更に、情報処理端末１００は端末ロック状態であるものとする。
【００６５】
制御部１０１は、端末ロック状態の未操作時（待機状態）には、図４に示したように、表示部１２１ａには何も表示しないものとする。この状態で操作部１３０への端末操作を受け付けた場合（本実施例では、タッチパネル１３０ａへのタッチ操作があった場合）、制御部１０１は、図５に示したような、情報処理端末１００が端末ロック状態にある旨及び端末ロックの解除には認証処理が必要である旨のメッセージを表示部１２１ｂに表示する。ここで情報処理端末１００の使用者がタッチパネル１３０ｂの『Ｃａｎｃｅｌ』部をタッチ操作した場合、制御部１０１は端末ロック解除のための認証処理を開始せず、表示部１２１ｂに表示されたメッセージを消去して待機状態に戻る。一方、情報処理端末１００の使用者がタッチパネル１３０ｂの『ＯＫ』部をタッチ操作した場合には、制御部１０１は端末ロック解除のための認証処理を開始する。
【００６６】
図１７は、本実施例の情報処理端末１００における端末ロック解除のための認証処理のフローチャートである。
【００６７】
本実施例の情報処理端末１００では、認証処理を開始すると、まず、制御部１０１が情報処理端末１００の使用者（認証対象者）の顔画像を入力するために映像入力部１２３のカメラ機能を有効化し、映像入力部１２３がそのカメラ機能で認証対象者の顔画像を入力する（Ｓ３０１）。次に、一致率確認部１５２が、Ｓ３０１で入力した認証対象者の顔画像（顔認証入力画像）とストレージ部１１０内の認証情報記憶領域１１１に記憶されている顔認証登録画像を比較照合することにより、一致率の検出を行う（Ｓ３０２）。なお、顔認証入力画像と顔認証登録画像を比較照合することによる一致率の検出は、実施例１と同様に、顔画像の目や鼻、口角、顔輪郭等から抽出した特徴点のそれぞれの相対距離等を比較することにより行い、その総数に対する一致数を以って一致率とする、等の処理を行えば良い。
【００６８】
Ｓ３０２で検出した顔認証入力画像と顔認証登録画像の一致率が所定の値未満の場合（Ｓ３０３）、端末ロック制御部１５１は端末ロック解除処理を行わず、制御部１０１は、図７に示したような、再度認証処理を行うか否かを認証対象者に問い合わせるメッセージを表示部１２１ｃに表示する（Ｓ３０４）。ここで、認証対象者が再度認証処理を行うことを選択した場合には、制御部１０１は表示部１２１ｃに表示されたメッセージを消去してＳ３０１から処理をやり直す。認証対象者が再度認証処理を行わないことを選択した場合には、制御部１０１は表示部１２１ｃに表示されたメッセージを消去するとともに、端末ロック解除のための認証処理を終了して待機状態に戻る。
【００６９】
Ｓ３０２で検出した顔認証入力画像と顔認証登録画像の一致率が所定の値以上の場合（Ｓ３０３）、制御部１０１は、図８に示したような、ストレージ部１１０内の認証情報記憶領域１１１に記憶されている顔認証登録画像を表示部１２１ｄに表示する（Ｓ３０５）。認証対象者が顔認証登録画像の表示されている表示部１２１に重ねて配置された操作部１３０（タッチパネル）をタッチ操作すると、制御部１０１は前記タッチ操作を認証入力タッチパターンとして認識する（Ｓ３０６）。次に、一致率確認部１５２がＳ３０６で入力された認証入力タッチパターンのタッチ位置及び順序とタッチパターン記憶領域１１２に記憶されている認証登録タッチパターンのタッチ位置及び順序を比較する（Ｓ３０７）。Ｓ３０７において、Ｓ３０６で入力された認証入力タッチパターンのタッチ位置及び順序とタッチパターン記憶領域１１２に記憶されている認証登録タッチパターンのタッチ位置及び順序が一致した場合、制御部１０１が図１１に示したようなメッセージを表示部１２１ｆに表示した後に、端末ロック制御部１５１が情報処理端末１００の端末ロック解除処理を行う（Ｓ３０８）。
【００７０】
一方、Ｓ３０６で入力された認証入力タッチパターンのタッチ位置及び順序とタッチパターン記憶領域１１２に記憶されている認証登録タッチパターンのタッチ位置及び順序が一致しない場合、認証に失敗したものとして、端末ロック制御部１５１は端末ロック解除処理を行わず、制御部１０１は、図１２に示したような、再度認証処理を行うか否かを認証対象者に問い合わせるメッセージを表示部１２１ｇに表示する（Ｓ３０４）。ここで、認証対象者が再度認証処理を行うことを選択した場合には、制御部１０１は表示部１２１ｇに表示されたメッセージを消去してＳ３０１から（Ｓ３０５若しくはＳ３０６からでも良い）処理をやり直す。認証対象者が再度認証処理を行わないことを選択した場合には、制御部１０１は表示部１２１ｇに表示されたメッセージを消去するとともに、端末ロック解除のための認証処理を終了して待機状態に戻る。
【００７１】
Ｓ３０７で行うタッチ位置及び順序の比較処理に関して、以下に説明する。
【００７２】
本実施例の情報処理端末１００のタッチパターン認証処理では、Ｓ３０７の比較処理において、Ｓ３０６で入力された認証入力タッチパターンのタッチ位置及び順序とタッチパターン記憶領域１１２に記憶されている認証登録タッチパターンのタッチ位置及び順序が一致した場合に、認証対象者が認証登録者と同一人物であるものと判断する。前述のタッチ位置及び順序が一致した場合とは、認証処理時に認証対象者のタッチ操作により得られた認証入力タッチパターンのタッチ位置が、ストレージ部１１０内のタッチパターン記憶領域１１２に記憶されている認証登録タッチパターンのタッチ位置と一致しており、且つ前記認証入力タッチパターンのタッチ順序と前記認証登録タッチパターンのタッチ順序が一致した場合を示す。
【００７３】
具体的には、図１８に示すように、認証登録タッチパターンのタッチ位置である位置１２１ｉ１、位置１２１ｉ２、位置１２１ｉ３に対しては、認証処理時に認証対象者によって、それぞれ領域１３０ｉ１内、領域１３０ｉ２内、領域１３０ｉ３内がタッチ操作された場合に、認証入力タッチパターンのタッチ位置及び順序と認証登録タッチパターンのタッチ位置及び順序が一致したものとみなす。より具体的には、タッチパターン記憶領域１１２に記憶されている認証登録タッチパターンのタッチ位置の座標が（Ｘ１、Ｙ１）である場合、認証処理時に入力された認証入力タッチパターンのタッチ位置の座標（Ｘ１’、Ｙ１’）が、認証登録タッチパターンのタッチ位置から所定の範囲内、例えば、それぞれＸ１±４０画素以内、Ｙ１±２４画素以内である場合に、認証入力タッチパターンのタッチ位置と認証登録タッチパターンのタッチ位置が一致したものとみなす。このように、許容するタッチ位置に幅を持たせることにより、タッチパターン認証処理におけるタッチ操作の利便性を向上させることが可能となる。
【００７４】
また、本実施例の情報処理端末１００において、タッチパターン記憶領域１１２に記憶されている認証登録タッチパターンのタッチ位置及び順序が、図１９に示すように、『（Ｘ１、Ｙ１）→（Ｘ２、Ｙ２）→（Ｘ３、Ｙ３）』の位置及び順序であるものとする。この場合、Ｓ３０６で認証対象者が顔認証登録画像の表示された表示部１２１に重ねて配置された操作部１３０（タッチパネル）上を『（Ｘ１’、Ｙ１’）→（Ｘ２’、Ｙ２’）→（Ｘ３’、Ｙ３’）』（図１９のタッチ位置及び順序１）の位置及び順序でタッチ操作すれば、一致率確認部１５２は認証対象者が認証登録者と同一人物であると判断し、端末ロック制御部１５１が端末ロック解除処理を実行する。（但し、Ｘｎ’、Ｙｎ’はそれぞれ、Ｘｎ±４０画素以内、Ｙｎ±２４画素以内とする。）
一方、Ｓ３０６で認証対象者が顔認証登録画像の表示された表示部１２１に重ねて配置された操作部１３０（タッチパネル）上を『（Ｘ１、Ｙ１）→（Ｘ３、Ｙ３）→（Ｘ２、Ｙ２）』（図１９のタッチ位置及び順序２）の位置及び順序でタッチ操作した場合、一致率確認部１５２は認証対象者が認証登録者と同一人物ではないと判断し、端末ロック制御部１５１は端末ロック解除処理を実行しない。即ち、認証対象者がタッチ操作した位置の座標は同一であるが、その順番が異なるためである。また、図１９のタッチ位置及び順序３に示したように、Ｓ３０６で認証対象者が顔認証登録画像の表示された表示部１２１に重ねて配置された操作部１３０（タッチパネル）上を『（Ｘ１、Ｙ１）→（Ｘ２、Ｙ２）→（Ｘ４、Ｙ４）→（Ｘ３、Ｙ３）』の位置及び順序でタッチ操作した場合も、一致率確認部１５２は認証対象者が認証登録者と同一人物ではないと判断する。
【００７５】
なお、本実施例の情報処置端末１００のタッチパターン認証処理では、表示部１２１に重ねて配置された操作部１３０（タッチパネル）上の任意の位置をタッチ操作することにより、認証登録タッチパターン及び認証入力タッチパターンのタッチ位置及び順序を構成している。このため、前記タッチ位置及び順序を構成するタッチ操作の回数が一回のみである場合も、顔認証処理と組み合わせることにより、必要なセキュリティ強度を確保することが可能である。但し、言うまでもなく、前記タッチ位置及び順序を構成するタッチ操作の回数が多いほどタッチパターン認証処理におけるセキュリティ強度は強くなるため、少なくとも二回程度以上のタッチ操作によりタッチ位置及び順序を構成することが望ましい。
【００７６】
なお、本実施例の情報処理端末１００においても、タッチ位置及び順序を構成するタッチ操作を二回程度以上とし、情報処理端末１００の認証処理として、顔認証処理を行わずにタッチパターン認証処理のみ（即ち、図１７に示したフローチャートのＳ３０１〜Ｓ３０３を実行しない）で認証システムを構成することが可能である。
【００７７】
以上説明したように、本実施例の情報処理端末１００においても、実施例１と同様に、認証処理として顔認証処理及びタッチパターン認証処理の双方を行い、それぞれの認証が成功した場合に端末ロック解除処理の制御を行うため、顔認証処理のみの認証システムと比較して、よりセキュリティ強度の強い認証システムを実現することができる。また、本実施例の情報処理端末１００の、顔認証処理に続けて行うタッチパターン認証処理は、認証登録処理の際に記憶した顔認証登録画像を表示する表示部１２１に重ねて配置された操作部１３０（タッチパネル）上をタッチ操作するだけで良い。このため、顔認証処理とＰＩＮ入力による認証処理を組み合わせた場合や顔認証処理とキー操作による認証処理を組み合わせた場合のような、二種類の異なる認証処理を行う場合と比較して、一種類の一連の認証処理のみを行っているように感じるため、心理的負荷が低減され、利便性を損なわずに済むことも、実施例１と同様である。また、使用者は、表示部１２１を見ながら端末ロックを解除できるので、視線を移動させる必要がないことも、実施例１と同様である。この結果、本実施例の情報処理端末１００では、セキュリティ強度を確保しつつ利便性の高い認証方法を実現することが可能となる。また、本実施例の情報処理端末１００では、顔部位認識部１５３が不要となり、システムを簡略化することが可能となる。
【００７８】
なお、前述の実施例では、認証登録時のＳ２０３及び認証処理時のＳ３０５において、ストレージ部１１０内の認証情報記憶領域１１１に記憶されている顔認証登録画像を表示するものとして説明を行っているが、ここで何れの画像も表示しない構成としても良い。この場合、認証登録タッチパターン及び認証入力タッチパターンの入力の際に位置決めの目安となる画像表示がないため利便性が若干損なわれるが、セキュリティ強度に関しては前述の実施例と同程度の強度を確保することが可能である。
【００７９】
また、本実施例の情報処理端末１００において、ストレージ部１１０内の認証情報記憶領域１１１に、顔認証登録画像とは別に、情報処理端末１００の使用者（認証登録者）が選択した所定の画像（タッチパターン入力用画像）を予め記憶しておき、認証登録時のＳ２０３及び認証処理時のＳ３０５で、顔認証登録画像ではなく前記タッチパターン入力用画像を表示部１２１に表示させ、更に、前記タッチパターン入力用画像を表示している表示部１２１に重ねて配置された操作部１３０（タッチパネル）に対してタッチ操作を行うことにより、認証登録タッチパターンのタッチ位置及び順序や認証入力タッチパターンのタッチ位置及び順序を入力するようにしても良い。
【００８０】
前述の処理を行うことにより、認証登録タッチパターン及び認証入力タッチパターンのタッチ位置及び順序を入力するためのタッチ操作の際に、情報処理端末１００の使用者の好みの任意画像（タッチパターン入力用画像）を用いることが可能となる。更に、操作中に情報処理端末１００の表示部１２１を覗き込まれることにより、ストレージ部１１０内の認証情報記憶領域１１１に記憶されている顔認証登録画像を盗み見られることを防止することが可能となる。
【００８１】
以上、本発明の実施形態の例を、前記第一及び第二の実施例を用いて説明したが、言うまでもなく、本発明の技術を実現する構成は前記実施例に限られるものではない。例えば、ある実施例の構成と別の実施例の構成とを組み合わせても良い。これらは全て本発明の範疇に属するものである。また、文中や図中に現れる数値やメッセージの文章等もあくまでも一例であり、異なるものを用いても本発明の効果を損なうことはない。
【００８２】
また、前述した本発明の機能等は、それらの一部または全部を、例えば集積回路で設計する等によりハードウエアで実現しても良い。また、マイクロプロセッサ等がそれぞれの機能等を実現するプログラムを解釈し、実行することによりソフトウエアで実現しても良い。なお、前記プログラムは、予め情報処理端末１００のＲＯＭ１０３若しくはストレージ部１１０内のその他情報記憶領域１１３に格納された状態であっても良いが、インターネット２００上のアプリケーションサーバ２１２から電話網通信部１４１或いはＬＡＮ通信部１４２を介して取得するものであっても良い。また、メモリカードに格納された前記プログラムを、外部インタフェース１６０を介して取得しても良い。
【００８３】
また、図中に示した制御線や情報線は説明上必要と考えられるものを示しており、製品上必ずしも全ての制御線や情報線を示しているとは限らない。実際には殆ど全ての構成が相互に接続されていると考えても良い。
【符号の説明】
【００８４】
１００：情報処理端末、１０１：制御部、１０２：システムバス、１０３：ＲＯＭ、１０４：ＲＡＭ、１１０：ストレージ部、１１１：認証情報記憶領域、１１２：タッチパターン記憶領域、１１３：その他情報記憶領域、１２１：表示部、１２２：表示処理部、１２３：映像入力部、１２４：スピーカ、１２５：音声処理部、１２６：音声入力部、１３０：操作部、１４１：電話網通信部、１４２：ＬＡＮ通信部、１５１：端末ロック制御部、１５２：一致率確認部、１５３：顔部位認識部、１６０：外部インタフェース、１７１：加速度センサ、１７２：ジャイロセンサ、１７３：地磁気センサ、１７４：ＧＰＳ受信部、１７５：照度センサ、
２００：インターネット、２０１：アクセスポイント、２１１：インターネットメールサーバ、２１２：アプリケーションサーバ、２２１：移動体電話通信メールサーバ、２２２：基地局
【図１】
2013190992.tif 000003
【図２】
2013190992.tif 000004
【図３】
2013190992.tif 000005
【図４】
2013190992.tif 000006
【図５】
2013190992.tif 000007
【図６】
2013190992.tif 000008
【図７】
2013190992.tif 000009
【図８】
2013190992.tif 000010
【図９】
2013190992.tif 000011
【図１０】
2013190992.tif 000012
【図１１】
2013190992.tif 000013
【図１２】
2013190992.tif 000014
【図１３】
2013190992.tif 000015
【図１４】
2013190992.tif 000016
【図１５】
2013190992.tif 000017
【図１６】
2013190992.tif 000018
【図１７】
2013190992.tif 000019
【図１８】
2013190992.tif 000020
【図１９】
2013190992.tif 000021